(57)【要約】【課題】低階調部分の輝度ムラを低減しつつ、空間変調による画質劣化を抑制できる画像表示装置、駆動方法及び駆動プログラムを提供すること。【解決手段】画像表示装置１は、画像を、複数の画素を含む小領域に分割する分割部１２と、小領域に含まれる複数の画素それぞれの輝度倍率を、入力信号レベルに応じて調整して発光させる調整部１３と、を備え、調整部１３は、入力信号レベルが０から第１閾値までの場合、複数の画素のうち一部の画素のみを発光させ、入力信号レベルが第１閾値よりも高い第２閾値以上の場合、複数の画素の全ての輝度倍率を１００％にし、入力信号レベルの全範囲にわたって、各画素の輝度倍率を連続的に決定し、複数の画素の輝度倍率の平均が１００％となるように調整する。【選択図】図１
2020060733.tif 000002
【特許請求の範囲】
【請求項１】
画像を、複数の画素を含む小領域に分割する分割部と、
前記小領域に含まれる前記複数の画素それぞれの輝度倍率を、入力信号レベルに応じて調整して発光させる調整部と、を備え、
前記調整部は、
前記入力信号レベルが０から第１閾値までの場合、前記複数の画素のうち一部の画素のみを発光させ、
前記入力信号レベルが前記第１閾値よりも高い第２閾値以上の場合、前記複数の画素の全ての輝度倍率を１００％にし、
前記入力信号レベルの全範囲にわたって、各画素の輝度倍率を連続的に決定し、前記複数の画素の輝度倍率の平均が１００％となるように調整する画像表示装置。
【請求項２】
前記調整部は、映像フレーム毎に、前記小領域に含まれる前記複数の画素のうち、発光させる対象である前記一部の画素を順番に入れ替える請求項１に記載の画像表示装置。
【請求項３】
前記調整部は、前記複数の画素の入力信号レベルの平均値に応じて、各画素の輝度倍率を調整する請求項１又は請求項２に記載の画像表示装置。
【請求項４】
前記分割部は、前記入力信号レベルが低いほど、前記小領域の画素数を増加させる請求項１から請求項３のいずれかに記載の画像表示装置。
【請求項５】
前記画像から、前記入力信号レベルが所定未満の領域を、前記調整部による調整対象として抽出する抽出部を備える請求項１から請求項４のいずれかに記載の画像表示装置。
【請求項６】
画像表示装置において、
画像を、複数の画素を含む小領域に分割する分割ステップと、
前記小領域に含まれる前記複数の画素それぞれの輝度倍率を、入力信号レベルに応じて調整して発光させる調整ステップと、をコンピュータが実行し、
前記調整ステップにおいて、
前記入力信号レベルが０から第１閾値までの場合、前記複数の画素のうち一部の画素のみを発光させ、
前記入力信号レベルが前記第１閾値よりも高い第２閾値以上の場合、前記複数の画素の全ての輝度倍率を１００％にし、
前記入力信号レベルの全範囲にわたって、各画素の輝度倍率を連続的に決定し、前記複数の画素の輝度倍率の平均が１００％となるように調整する表示パネルの駆動方法。
【請求項７】
画像表示装置において、
画像を、複数の画素を含む小領域に分割する分割ステップと、
前記小領域に含まれる前記複数の画素それぞれの輝度倍率を、入力信号レベルに応じて調整して発光させる調整ステップと、をコンピュータに実行させ、
前記調整ステップにおいて、
前記入力信号レベルが０から第１閾値までの場合、前記複数の画素のうち一部の画素のみを発光させ、
前記入力信号レベルが前記第１閾値よりも高い第２閾値以上の場合、前記複数の画素の全ての輝度倍率を１００％にし、
前記入力信号レベルの全範囲にわたって、各画素の輝度倍率を連続的に決定し、前記複数の画素の輝度倍率の平均が１００％となるように調整するための表示パネルの駆動プログラム。
【発明の詳細な説明】
【技術分野】
【０００１】
本発明は、電流駆動型の発光素子を用いた画像表示装置、駆動方法及び駆動プログラムに関する。
【背景技術】
【０００２】
従来、有機ＥＬなどのアクティブマトリックス型の画像表示装置は、薄膜トランジスタ（ＴＦＴ）を用いて発光素子へ供給する電流を制御することで、輝度変調を行っている。しかし、駆動に用いるＴＦＴには特性のばらつきがあるため、同じ電圧を与えても各画素の発光素子に流れる電流量が異なることにより、輝度ムラが発生し、表示品位が低下してしまう問題がある。このような特性のばらつきを低減させるために、画像表示装置は、表示パネル内部において、ばらつき補償を行っている（例えば、特許文献１参照）。
【先行技術文献】
【特許文献】
【０００３】
【特許文献１】特開２００７−１３３２８２号公報
【特許文献２】特開２０１８−３１９０４号公報
【発明の概要】
【発明が解決しようとする課題】
【０００４】
しかしながら、表示パネルの高精細化及びハイダイナミックレンジ化などにより、各発光素子に供給する電流が小さくなることで、特性のばらつきの補償が不十分となってしまう。例えば、特許文献１の技術では、駆動信号に補正期間を設けて、ＴＦＴの閾値補正及び移動度の補正を行っているが、低階調部分では、画素に流れる電流が小さいため、十分な輝度補正ができなかった。また、酸化物半導体など移動度が高くない材料が用いられた場合にも、十分な効果が得られなかった。
【０００５】
そこで、特許文献２では、平均輝度を維持しながら電流値を確保するために、空間変調を用いる手法が提案されている。しかしながら、空間変調を行った領域とそれ以外の領域との境目に、偽輪郭が発生してしまう問題があった。
【０００６】
本発明は、低階調部分の輝度ムラを低減しつつ、空間変調による画質劣化を抑制できる画像表示装置、駆動方法及び駆動プログラムを提供することを目的とする。
【課題を解決するための手段】
【０００７】
本発明に係る画像表示装置は、画像を、複数の画素を含む小領域に分割する分割部と、前記小領域に含まれる前記複数の画素それぞれの輝度倍率を、入力信号レベルに応じて調整して発光させる調整部と、を備え、前記調整部は、前記入力信号レベルが０から第１閾値までの場合、前記複数の画素のうち一部の画素のみを発光させ、前記入力信号レベルが前記第１閾値よりも高い第２閾値以上の場合、前記複数の画素の全ての輝度倍率を１００％にし、前記入力信号レベルの全範囲にわたって、各画素の輝度倍率を連続的に決定し、前記複数の画素の輝度倍率の平均が１００％となるように調整する。
【０００８】
前記調整部は、映像フレーム毎に、前記小領域に含まれる前記複数の画素のうち、発光させる対象である前記一部の画素を順番に入れ替えてもよい。
【０００９】
前記調整部は、前記複数の画素の入力信号レベルの平均値に応じて、各画素の輝度倍率を調整してもよい。
【００１０】
前記分割部は、前記入力信号レベルが低いほど、前記小領域の画素数を増加させてもよい。
【００１１】
前記画像表示装置は、前記画像から、前記入力信号レベルが所定未満の領域を、前記調整部による調整対象として抽出する抽出部を備えてもよい。
【００１２】
本発明に係る表示パネルの駆動方法は、画像表示装置において、画像を、複数の画素を含む小領域に分割する分割ステップと、前記小領域に含まれる前記複数の画素それぞれの輝度倍率を、入力信号レベルに応じて調整して発光させる調整ステップと、をコンピュータが実行し、前記調整ステップにおいて、前記入力信号レベルが０から第１閾値までの場合、前記複数の画素のうち一部の画素のみを発光させ、前記入力信号レベルが前記第１閾値よりも高い第２閾値以上の場合、前記複数の画素の全ての輝度倍率を１００％にし、前記入力信号レベルの全範囲にわたって、各画素の輝度倍率を連続的に決定し、前記複数の画素の輝度倍率の平均が１００％となるように調整する。
【００１３】
本発明に係る表示パネルの駆動プログラムは、画像表示装置において、画像を、複数の画素を含む小領域に分割する分割ステップと、前記小領域に含まれる前記複数の画素それぞれの輝度倍率を、入力信号レベルに応じて調整して発光させる調整ステップと、をコンピュータに実行させ、前記調整ステップにおいて、前記入力信号レベルが０から第１閾値までの場合、前記複数の画素のうち一部の画素のみを発光させ、前記入力信号レベルが前記第１閾値よりも高い第２閾値以上の場合、前記複数の画素の全ての輝度倍率を１００％にし、前記入力信号レベルの全範囲にわたって、各画素の輝度倍率を連続的に決定し、前記複数の画素の輝度倍率の平均が１００％となるように調整するためのものである。
【発明の効果】
【００１４】
本発明によれば、画像表示装置において、低階調部分の輝度ムラを低減しつつ、空間変調による画質劣化を抑制できる。
【図面の簡単な説明】
【００１５】
【図１】実施形態に係る画像表示装置の構成を示すブロック図である。
【図２】実施形態に係る小領域を例示する図である。
【図３Ａ】従来の調整手法による入力信号レベルと輝度倍率との関係を例示する図である。
【図３Ｂ】従来の調整手法により輝度倍率が調整されたときの、入力信号レベルと表示輝度との関係を例示する図である。
【図４Ａ】実施形態に係る第１の調整手法による入力信号レベルと輝度倍率との関係を例示する図である。
【図４Ｂ】実施形態に係る第１の調整手法による入力信号レベルと表示輝度との関係を例示する図である。
【図５Ａ】実施形態に係る第２の調整手法による入力信号レベルと輝度倍率との関係を例示する図である。
【図５Ｂ】実施形態に係る第２の調整手法による入力信号レベルと表示輝度との関係を例示する図である。
【図６Ａ】実施形態に係る第３の調整手法による入力信号レベルと輝度倍率との関係を例示する図である。
【図６Ｂ】実施形態に係る第３の調整手法による入力信号レベルと表示輝度との関係を例示する図である。
【図７Ａ】実施形態に係る第４の調整手法による入力信号レベルと輝度倍率との関係を例示する図である。
【図７Ｂ】実施形態に係る第４の調整手法による入力信号レベルと表示輝度との関係を例示する図である。
【図８】実施形態に係る表示パネルの各画素を構成する回路の一例を示す図である。
【発明を実施するための形態】
【００１６】
以下、本発明の実施形態の一例について説明する。
本実施形態に係る画像表示装置１は、有機ＥＬ発光素子を用いた表示装置であり、映像フレーム毎の信号処理において、画素単位で発光強度を調整する空間変調を用いることにより、低階調領域における電流の減少を抑制して輝度ムラを低減しつつ、境界付近の画質劣化を抑制する。
【００１７】
図１は、本実施形態に係る画像表示装置１の構成を示すブロック図である。
画像表示装置１は、信号処理部１０と、行駆動ドライバ部２０と、列駆動ドライバ部３０と、表示パネル４０とを備える。
【００１８】
信号処理部１０は、映像信号に含まれる画像データを入力として、各画素の階調値を決定し、行駆動ドライバ部２０及び列駆動ドライバ部３０を制御することにより、表示パネル４０の発光素子を階調値に応じた駆動電流で発光させる。
【００１９】
行駆動ドライバ部２０は、信号処理部１０から各水平ラインを走査するための制御信号を受信する。
また、行駆動ドライバ部２０から表示パネル４０の各画素へは、垂直方向に複数の選択信号線と、各発光素子への電源ラインとが接続されている。行駆動ドライバ部２０は、複数の選択信号線のそれぞれに選択信号を供給すると共に、電源ラインから駆動電圧を印加する。
【００２０】
列駆動ドライバ部３０は、信号処理部１０で決定された階調値のデータを受信する。
また、列駆動ドライバ部３０から表示パネル４０の各画素へは、水平方向に複数のデータ信号線が接続されている。列駆動ドライバ部３０は、複数のデータ信号線のそれぞれに、各画素の階調値に基づくデータ信号を供給する。
【００２１】
表示パネル４０は、有機ＥＬ発光素子が各画素に対応して設けられた表示デバイスであり、行駆動ドライバ部２０からの制御信号、及び列駆動ドライバ部３０からのデータ信号に応じて、各発光素子を発光させることにより、画像を表示する。
【００２２】
次に、信号処理部１０の機能を詳述する。
図１に示すように、信号処理部１０は、抽出部１１と、分割部１２と、調整部１３とを備える。
【００２３】
抽出部１１は、入力された映像フレーム毎の画像データについて、入力信号レベル（階調値）の低い領域を抽出して調整部１３による調整対象である分割発光領域とし、入力信号レベルの高い領域を通常発光領域とする。
例えば、抽出部１１は、入力信号レベルが所定未満の画素、あるいは、周囲の画素との入力信号レベルの平均が所定未満の画素など、所定の条件を満たす画素群を、分割発光領域として抽出する。
【００２４】
分割部１２は、分割発光領域を、複数の画素を含む小領域に分割する。
このとき、小領域に含まれる画素数は一定でなくてもよい。分割部１２は、入力信号レベル（例えば、平均値）が低いほど、小領域の画素数を増加させるように分割してもよい。
なお、分割部１２は、画像データ全体を小領域に分割した後、分割結果を抽出部１１に提供して分割発光領域を決定してもよい。
【００２５】
調整部１３は、小領域に含まれる複数の画素それぞれの輝度倍率を、入力信号レベルに応じて調整し、対応する発光強度で発光素子を発光させる。
小領域内で、複数の画素の入力信号レベルは、一致するとは限らない。このとき、調整部１３は、小領域内の複数の画素の入力信号レベルの平均値に応じて、各画素の輝度倍率を調整してよい。
具体的には、調整部１３は、次の条件で各画素の輝度倍率を調整する。
【００２６】
（１）調整部１３は、入力信号レベルが０から第１閾値までの場合、小領域内の複数の画素のうち一部の画素のみを発光させる。
すなわち、調整部１３は、小領域内の複数の画素を代表する特定位置の画素の輝度倍率を高く調整し、この特定位置の画素のみを発光させることにより、駆動電流の低下を抑制する。
【００２７】
（２）調整部１３は、入力信号レベルが第１閾値よりも更に高い第２閾値以上の場合、小領域内の複数の画素の全ての輝度倍率を等倍（１００％）にする。
すなわち、調整部１３は、十分に高い入力信号レベルである画素については、輝度ムラが表れないため、輝度倍率の調整を行わない。
【００２８】
（３）調整部１３は、入力信号レベルの全範囲（０〜最大値）にわたって、各画素の輝度倍率を連続的に決定する。
すなわち、入力信号レベルに対する輝度倍率の関数は、グラフに切れ目がなく連続である。
【００２９】
（４）調整部１３は、小領域内の複数の画素の輝度倍率の平均が１００％となるように調整する。
すなわち、調整部１３は、輝度倍率を調整した場合にも、小領域内の平均輝度の変化を抑制する。
【００３０】
調整部１３は、映像フレーム毎に、小領域に含まれる複数の画素のうち、入力信号レベルが第１閾値未満の場合に発光させる対象である一部の画素を順番に入れ替え、画素数の周期で一巡させてもよい。
また、調整部１３は、小領域内の複数の画素のうち最大の入力信号レベルが例えば第２閾値以上の場合、各画素の輝度倍率を調整しないように制御するなど、周辺の画素との関係で輝度ムラが認識されにくい画素に対して、輝度倍率の調整を省略してもよい。
【００３１】
図２は、本実施形態に係る小領域を例示する図である。
例えば、分割発光領域５０において、４画素毎の小領域５１が設けられる。
分割発光領域５０では、映像フレーム毎に小領域５１内での画素の位置それぞれの調整パターン、すなわち入力信号レベルと輝度倍率との対応関係が決まっており、映像フレームが進むに従ってこれらの調整パターンが順に入れ替わる。例えば、小領域５１内の各画素をＡ、Ｂ、Ｃ、Ｄとすると、入力信号レベルが第１閾値以下の場合に、奇数フレームでは、Ａ及びＤ、偶数フレームでは、Ｂ及びＣの画素が発光する。
【００３２】
図３Ａは、従来の調整手法による入力信号レベルと輝度倍率との関係を例示する図である。
この例では、図２のように、４画素を１単位（小領域）として、小領域内の各画素をＡ、Ｂ、Ｃ、Ｄとする。
例えば、入力信号レベルが４０％（０．４）以下を分割発光領域とした場合、奇数フレームでは、分割発光領域の画素Ａ及びＤが２倍（２００％）の輝度倍率で発光する信号レベルに変換され、画素Ｂ及びＣは発光しない。
一方、偶数フレームでは、画素Ｂ及びＣが２倍（２００％）の輝度倍率で発光する信号レベルに変換され、画素Ａ及びＤは発光しない。
また、入力信号レベルが４０％を超える通常発光領域では、いずれの映像フレームにおいても、画素Ａ、Ｂ、Ｃ、Ｄは等倍（１００％）の輝度倍率で発光する。
【００３３】
図３Ｂは、従来の調整手法により輝度倍率が調整されたときの、入力信号レベルと表示輝度との関係を例示する図である。
通常の表示輝度は、例えば入力信号レベルの２．２乗で設計され、入力信号レベルが低くなった場合の表示輝度の低下が顕著であり、輝度ムラが生じやすい。
図３Ａに示した従来の調整手法により、奇数フレームにおいて、入力信号レベルが４０％以下の分割発光領域では、画素Ａ及びＤが通常の表示輝度に対して２倍の輝度で表示され、画素Ｂ及びＣは発光しない。
【００３４】
このように従来の調整手法により輝度倍率を調整した場合、映像中の４０％付近の入力信号レベルの箇所において、偽輪郭が発生してしまうことがある。
そこで、本実施形態では、前述の調整部１３により、例えば以下に例示する調整手法１〜４のように輝度倍率の調整を行う。
【００３５】
［調整手法１］
図４Ａは、本実施形態に係る第１の調整手法による入力信号レベルと輝度倍率との関係を例示する図である。
例えば、奇数フレームにおいて、調整部１３は、Ａ及びＤの画素について、入力信号レベルが０から４０％（第１閾値）までは、２倍（２００％）の輝度倍率で発光する信号レベルに変換する。続いて、調整部１３は、入力信号レベルが４０％から６０％（第２閾値）にかけて徐々に、例えば線型に輝度倍率を等倍（１００％）まで、すなわち入力信号レベルに相当する輝度のレベルまで変化させる。
一方、Ｂ及びＣの画素は、入力信号レベルが４０％までは、発光しないように信号レベルが０に変換される。続いて、調整部１３は、入力信号レベルが４０％から６０％にかけて徐々に、例えば線型に輝度倍率等倍（１００％）まで、すなわち入力信号レベルに相当する輝度のレベルまで変化させる。
【００３６】
偶数フレームでは、調整部１３は、Ａ及びＤの調整パターンとＢ及びＣの調整パターンとを入れ替えて輝度倍率の調整、すなわち信号レベルの制御を行う。
ここで、Ａ、Ｂ、Ｃ、Ｄの各画素の輝度は入力信号レベルに対応する輝度から変化しているが、４つの画素の平均輝度は元の入力信号に対応する平均輝度と同様になるように制御される。このため、Ａ、Ｂ、Ｃ、Ｃの各画素の輝度は、人の視覚特性により平滑化され、元の入力信号レベルの場合と同様の明るさで認識される。
【００３７】
図４Ｂは、本実施形態に係る第１の調整手法による入力信号レベルと表示輝度との関係を例示する図である。
従来の調整手法（図３Ｂ）と比べて、Ａ、Ｂ、Ｃ、Ｄの全画素において入力信号レベルが４０％から６０％の間の表示輝度が連続するため、偽輪郭の発生が抑制される。
【００３８】
［調整手法２］
図５Ａは、本実施形態に係る第２の調整手法による入力信号レベルと輝度倍率との関係を例示する図である。
調整手法１では、調整部１３は、奇数フレームと偶数フレームとで異なる２パターンの制御をしていたが、さらに、輝度ムラを抑制するために、画素をＡ、Ｂ、Ｃ、Ｄの４画素に分けた場合、４フレームで調整パターンが一巡するように制御してもよい。
【００３９】
例えば、４ｎフレームでは、調整部１３は、Ａの画素について、入力信号レベルが０％から１０％（第１閾値）まで４倍（４００％）の輝度倍率で発光させ、入力信号レベルが１０％から５０％にかけて徐々に、例えば線型に輝度倍率を４倍（４００％）から２倍（２００％）まで下げていくように信号レベルを変換する。
これに対して、Ｄの画素については、調整部１３は、入力信号レベルが０％から１０％までは発光させず、１０％から５０％にかけて徐々に、例えば線型に輝度倍率を０（０％）から２倍（２００％）まで上げるように信号レベルを変換する。また、Ｂ及びＣの画素については、調整部１３は、入力信号レベルが０％から５０％までは、輝度倍率を０（０％）のままとする。
【００４０】
入力信号レベルが５０％から７０％（第２閾値）の間は、調整部１３は、Ａ及びＤの画素について、輝度倍率を２倍（２００％）から徐々に、例えば線型に等倍（１００％）まで下げていくように信号レベルを変換する。一方、Ｂ及びＣの画素については、調整部１３は、輝度倍率を０（０％）から徐々に、例えば線型に上げて、入力信号レベルが７０％で等倍（１００％）となるように信号レベルを変換する。
【００４１】
入力信号レベルが７０％より大きい領域では、Ａ、Ｂ、Ｃ、Ｄの画素は全て等倍（１００％）の輝度で発光する。
調整部１３は、このような調整を、４ｎ＋１、４ｎ＋２、４ｎ＋３フレームでＡ、Ｂ、Ｃ、Ｄの画素を順番に入れ替えて行うことで、４フレームで一巡するように制御する。これにより、少なくとも１つの画素の輝度倍率を調整手法１より高く設定できるので、輝度ムラが更に抑制される。
【００４２】
図５Ｂは、本実施形態に係る第２の調整手法による入力信号レベルと表示輝度との関係を例示する図である。
調整手法１（図４Ｂ）と同様に、Ａ、Ｂ、Ｃ、Ｄの全画素において、入力信号レベルに対する表示輝度が全範囲で連続するため、偽輪郭の発生が抑制される。さらに、分割発光領域において、少なくとも１つの画素の表示輝度が調整手法１よりも高くなるため、輝度ムラが更に抑制される。
【００４３】
［調整手法３］
図６Ａは、本実施形態に係る第３の調整手法による入力信号レベルと輝度倍率との関係を例示する図である。
４画素を別々に調整し４フレームで一巡させる場合には、調整部１３は、次のように制御してもよい。
【００４４】
例えば、４ｎフレームでは、調整部１３は、Ａの画素を、入力信号レベルが０％から２０％まで４倍（４００％）の輝度倍率で発光させ、入力信号レベルが２０％から７０％にかけて徐々に、例えば線型に輝度倍率を４倍（４００％）から等倍（１００％）まで下げていくように信号レベルを変換する。
これに対して、Ｂ、Ｃ、Ｄの画素について、調整部１３は、入力信号レベルが０％から２０％まで発光させず、２０％から７０％にかけて徐々に、例えば線型に輝度倍率を０（０％）から等倍（１００％）まで上げるように信号レベルを変換する。
【００４５】
入力信号レベルが７０％より大きい領域では、Ａ、Ｂ、Ｃ、Ｄの画素は全て等倍（１００％）の輝度で発光する。
調整部１３は、このような調整を、４ｎ＋１、４ｎ＋２、４ｎ＋３フレームでＡ、Ｂ、Ｃ、Ｄの画素を順番に入れ替えて行うことで、４フレームで一巡するように制御する。これにより、少なくとも１つの画素の輝度倍率を調整手法１より高く設定できるので、輝度ムラが抑制される。
【００４６】
図６Ｂは、本実施形態に係る第３の調整手法による入力信号レベルと表示輝度との関係を例示する図である。
調整手法１（図４Ｂ）及び調整手法２（図５Ｂ）と同様に、Ａ、Ｂ、Ｃ、Ｄの全画素において、入力信号レベルに対する表示輝度が全範囲で連続するため、偽輪郭の発生が抑制される。さらに、分割発光領域において、少なくとも１つの画素の表示輝度が調整手法１よりも高くなるため、輝度ムラが更に抑制される。
【００４７】
［調整手法４］
図７Ａは、本実施形態に係る第４の調整手法による入力信号レベルと輝度倍率との関係を例示する図である。
４画素を別々に調整し４フレームで一巡させる場合には、調整部１３は、次のように制御してもよい。
【００４８】
例えば、４ｎフレームでは、調整部１３は、Ａの画素を、入力信号レベルが０％から１０％まで４倍（４００％）の輝度倍率で発光させ、入力信号レベルが１０％から７０％にかけて徐々に、例えば線型に輝度倍率を４倍（４００％）から等倍（１００％）まで下げていくように信号レベルを変換する。また、調整部１３は、画素Ａの入力信号レベルが７０％以上の場合、等倍（１００％）で発光させる。
【００４９】
これに対して、Ｂの画素について、調整部１３は、入力信号レベルが０％から５０％までは発光させず、入力信号レベルが５０％から７０％にかけて徐々に、輝度倍率を０（０％）から等倍（１００％）まで上げるように信号レベルを変換する。また、調整部１３は、画素Ｂの入力信号レベルが７０％以上の場合、等倍（１００％）で発光させる。
Ｃの画素については、調整部１３は、入力信号レベルが０％から３０％までは発光させず、入力信号レベルが３０％から５０％にかけて徐々に、輝度倍率を０（０％）から等倍（１００％）まで上げるように信号レベルを変換する。また、調整部１３は、画素Ｃの入力信号レベルが５０％以上の場合、等倍（１００％）で発光させる。
Ｄの画素については、調整部１３は、入力信号レベルが０％から１０％までは発光させず、入力信号レベルが１０％から３０％にかけて徐々に、輝度倍率を０（０％）から等倍（１００％）まで上げるように信号レベルを変換する。また、調整部１３は、画素Ｄの入力信号レベルが３０％以上の場合、等倍（１００％）で発光させる。
【００５０】
調整部１３は、このような調整を４ｎ＋１、４ｎ＋２、４ｎ＋３フレームでＡ、Ｂ、Ｃ、Ｄの画素を順番に入れ替えて行うことで、４フレームで一巡するように制御する。これにより、少なくとも１つの画素の輝度倍率を調整手法１より高く設定できるので、輝度ムラが抑制される。
【００５１】
図７Ｂは、本実施形態に係る第４の調整手法による入力信号レベルと表示輝度との関係を例示する図である。
調整手法１（図４Ｂ）、調整手法２（図５Ｂ）及び調整手法３（図６Ｂ）と同様に、Ａ、Ｂ、Ｃ、Ｄの全画素において、入力信号レベルに対する表示輝度が全範囲で連続するため、偽輪郭の発生が抑制される。さらに、分割発光領域において、少なくとも１つの画素の表示輝度が調整手法１よりも高くなるため、輝度ムラが更に抑制される。
【００５２】
図８は、本実施形態に係る表示パネル４０の各画素を構成する回路の一例を示す図である。
選択信号線から電圧Ｖｇａが印加されたタイミングにおいて、データ信号線から画素の信号レベルに応じた電圧Ｖｄａが印加されると、トランジスタＴｒ１を介してコンデンサＣ１にデータ電圧が書き込まれる。
【００５３】
このとき、同時に駆動電圧Ｖｄｄが印加されることで、Ｔｒ１の移動度のばらつきによる輝度ムラが補正される。ところが、Ｖｄａの電圧が低い場合、十分な電流が流れずに、ばらつきの補正が不十分となってしまう。信号処理部１０で低階調領域の信号レベルを高く変換することで、ばらつきの補正効果が高められる。
【００５４】
その後、駆動電圧ＶｄｄによりトランジスタＴｒ２を介して有機ＥＬ素子Ｄｅｌに電流が流れ、発光する。補正効果を高めるために、信号レベルを高くしているため、輝度が高くなってしまう画素が存在するが、フレーム毎に発光しない画素が指定されているため、全体的な輝度レベルの変化が抑えられて画像が表示される。
また、高フレームレート（例えば、１２０Ｈｚ以上）の場合には、発光する画素の切り替わりに伴って生じるフリッカーの影響も回避できる。
【００５５】
本実施形態によれば、画像表示装置１は、信号処理部１０において、画像を、複数の画素を含む小領域に分割し、小領域に含まれる複数の画素それぞれの輝度倍率を、入力信号レベルに応じて調整して発光させる。このとき、調整部１３は、入力信号レベルが０から第１閾値までの場合、一部の画素のみを発光させ、第２閾値以上の場合、複数の画素の全ての輝度倍率を１００％にする。そして、調整部１３は、入力信号レベルの全範囲にわたって、各画素の輝度倍率を連続的に決定し、複数の画素の輝度倍率の平均が１００％となるように調整する。
したがって、画像表示装置１は、入力信号レベルが第１閾値以下の低階調部分において画素当たりの電流を大きくできるため、輝度ムラを低減できる。さらに、画像表示装置１は、入力信号レベルに対する輝度倍率の連続性により、偽輪郭の発生を防ぎ、空間変調による画質劣化を抑制できる。
【００５６】
画像表示装置１は、映像フレーム毎に、小領域に含まれる複数の画素のうち、発光させる対象である一部の画素を順番に入れ替える。したがって、画像表示装置１は、動画再生時に、フレーム毎に発光させる画素を均等に選択し、画質の劣化を抑制できる。
【００５７】
画像表示装置１は、小領域内で、複数の画素の入力信号レベルの平均値に応じて、各画素の輝度倍率を調整する。したがって、画像表示装置１は、小領域内の画素毎に入力信号レベルが異なる場合にも、容易に適切な輝度倍率を決定できる。
【００５８】
画像表示装置１は、入力信号レベルが低いほど、小領域の画素数を増加させてもよい。これにより、画像表示装置１は、入力信号レベルが低い領域の輝度倍率を適切に高めて低輝度ムラを低減できる。
なお、１フレーム内では小領域の大きさは一定でもよいし、１フレーム内で複数の大きさの小領域が混在するように分割されてもよい。
【００５９】
画像表示装置１は、前記画像から、入力信号レベルが所定未満の領域を、調整部１３による調整対象として抽出してもよい。これにより、画像表示装置１は、処理対象の画素を限定して処理負荷を低減できる。
【００６０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００６１】
画像表示装置１が処理対象とする画像は、複数のフレームが連続する動画像に限られず、静止画像であってもよい。
【００６２】
前述の実施形態で例示した第１閾値及び第２閾値は、これらには限られず、例えば表示パネル４０の仕様の相違によって適宜、値は変更されてよい。
【００６３】
前述の実施形態では、調整部１３は、輝度倍率によって各画素の輝度を調整したが、これには限られない。調整部１３は、例えば、小領域内の複数の画素の発光強度の合計が等しくなるように、各画素の輝度を調整してもよい。これにより、画像表示装置１は、輝度ムラを低減しつつ、元の画像データの輝度をより忠実に再現できる。
【００６４】
本実施形態では、主に画像表示装置１の構成と動作について説明したが、本発明はこれに限られず、各構成要素を備え、画像を表示するための方法、又はプログラムとして構成されてもよい。
【００６５】
さらに、画像表示装置１の機能を実現するためのプログラムをコンピュータで読み取り可能な記録媒体に記録して、この記録媒体に記録されたプログラムをコンピュータシステムに読み込ませ、実行することによって実現してもよい。
【００６６】
ここでいう「コンピュータシステム」とは、ＯＳや周辺機器などのハードウェアを含むものとする。また、「コンピュータで読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【００６７】
さらに、「コンピュータで読み取り可能な記録媒体」とは、インターネットなどのネットワークや電話回線などの通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに、前述した機能をコンピュータシステムにすでに記録されているプログラムとの組み合わせで実現できるものであってもよい。
【符号の説明】
【００６８】
１  画像表示装置
１０  信号処理部
１１  抽出部
１２  分割部
１３  調整部
２０  行駆動ドライバ部
３０  列駆動ドライバ部
４０  表示パネル
【図１】
2020060733.tif 000003
【図２】
2020060733.tif 000004
【図３Ａ】
2020060733.tif 000005
【図３Ｂ】
2020060733.tif 000006
【図４Ａ】
2020060733.tif 000007
【図４Ｂ】
2020060733.tif 000008
【図５Ａ】
2020060733.tif 000009
【図５Ｂ】
2020060733.tif 000010
【図６Ａ】
2020060733.tif 000011
【図６Ｂ】
2020060733.tif 000012
【図７Ａ】
2020060733.tif 000013
【図７Ｂ】
2020060733.tif 000014
【図８】
2020060733.tif 000015